(57)【特許請求の範囲】
【請求項１】
サービスの提供を行うサービス提供装置において、
利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得手段と、
前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集手段と、
前記利用者の識別情報を取得すると、前記利用者属性情報格納手段を参照して、当該識別情報に対応する前記利用者属性情報を取得する利用者属性情報取得手段と、
サービス利用装置から前記コンテンツを特定するための情報および前記利用者の識別情報を含むサービス提供要求情報を受け付けると、前記サービス提供条件情報取得手段において取得された前記サービス提供条件情報と、前記利用者属性情報取得手段に前記利用者の識別情報を送ることで取得された前記利用者属性情報と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定手段と、
特定された前記提供サービス内容に基づき前記コンテンツを前記サービス利用装置に出力させるためのサービス提供情報を、前記サービス利用装置に送信するサービス提供情報送信手段と、
を有することを特徴とするサービス提供装置。
【請求項２】
前記サービス提供条件情報の内容を更新するサービス提供条件情報更新手段を、さらに有する、
ことを特徴とする請求項１記載のサービス提供装置。
【請求項３】
前記提供サービス内容特定手段において行われる処理手順を示す情報である提供サービス内容特定処理情報を取得する提供サービス内容特定処理情報取得手段を、さらに有し、
前記提供サービス内容特定手段は、
前記提供サービス内容特定処理情報取得手段において取得された前記提供サービス内容特定処理情報に示される処理手順に従い、前記利用者に提供する前記サービス内容の特定を行う、
ことを特徴とする請求項１記載のサービス提供装置。
【請求項４】
前記提供サービス内容特定処理情報の内容を更新する提供サービス内容特定処理情報更新手段を、さらに有する、
ことを特徴とする請求項３記載のサービス提供装置。
【請求項５】
前記利用者属性情報取得手段において取得される前記利用者属性情報は、
前記サービス提供条件情報が有する前記サービス提供条件期待値を前記利用者に認知させることなく、前記利用者から収集した情報である、
ことを特徴とする請求項１記載のサービス提供装置。
【請求項６】
サービスの提供を行うサービス提供装置のサービス提供方法において、
利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、
前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、
サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、
前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、
特定された前記提供サービス内容に基づき前記コンテンツを前記サービス利用装置に出力させるためのサービス提供情報を、前記サービス利用装置に送信するサービス提供情報送信ステップと、
を有することを特徴とするサービス提供方法。
【請求項７】
前記サービス提供条件情報の内容を更新するサービス提供条件情報更新ステップを、さらに有する、
ことを特徴とする請求項６記載のサービス提供方法。
【請求項８】
前記提供サービス内容特定ステップにおいて行われる処理手順を示す情報である提供サービス内容特定処理情報を取得する提供サービス内容特定処理情報取得ステップを、さらに有し、
前記提供サービス内容特定ステップは、
前記提供サービス内容特定処理情報取得ステップにおいて取得された前記提供サービス内容特定処理情報に示される処理手順に従い、前記利用者に提供するサービス内容の特定を行う、
ことを特徴とする請求項６記載のサービス提供方法。
【請求項９】
前記提供サービス内容特定処理情報の内容を更新する提供サービス内容特定処理情報更新ステップを、さらに有する、
ことを特徴とする請求項８記載のサービス提供方法。
【請求項１０】
前記利用者属性情報取得ステップにおいて取得される前記利用者属性情報は、
前記サービス提供条件情報が有する前記サービス提供条件期待値を前記利用者に認知させることなく、前記利用者から収集した情報である、
ことを特徴とする請求項６記載のサービス提供方法。
【請求項１１】
コンピュータに、
利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、
前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、
サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、
前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、
特定された前記提供サービス内容に基づき前記コンテンツを前記サービス利用装置に出力させるためのサービス提供情報を、前記サービス利用装置に送信するサービス提供情報送信ステップと、
を実行させるためのサービス提供プログラム。
【請求項１２】
コンピュータに、
利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、
前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、
サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、
前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、
特定された前記提供サービス内容に基づき前記コンテンツを前記サービス利用装置に出力させるためのサービス提供情報を、前記サービス利用装置に送信するサービス提供情報送信ステップと、
を実行させるためのサービス提供プログラムを記録したコンピュータ読みとり可能な記録媒体。
【発明の詳細な説明】
【０００１】
【発明の属する技術分野】
本発明は、サービスの提供を行うサービス提供装置、サービス提供方法、その機能をコンピュータに実行させるためのサービス提供プログラム、及びそのサービス提供プログラムを記録したコンピュータ読みとり可能な記録媒体に関し、特に、状況に応じ、異なった内容のサービスを提供するサービス提供装置、サービス提供方法、その機能をコンピュータに実行させるためのサービス提供プログラム、及びそのサービス提供プログラムを記録したコンピュータ読みとり可能な記録媒体に関する。
【０００２】
【従来の技術】
従来、音楽や映像といったコンテンツの提供は、ＣＤ（Ｃｏｍｐａｃｔ  Ｄｉｓｃ）、ビデオテープといった記録媒体を用いて行われることが一般的であった。しかし、インターネット等の公衆通信回線の普及、発展により、近年、これらのコンテンツをインターネット等の公衆通信回線を介して配信し、その提供を行うコンテンツ提供形態の普及が進んでいる。
【０００３】
このように公衆通信回線を用いて配信されたコンテンツの取得は、例えば、利用者が有するパーソナルコンピュータ等を用い、所定のコンテンツ配信サイトからコンテンツをダウンロードすることによって行われる。このように提供されるコンテンツに対する購入代金の支払いは、例えば、このコンテンツのダウンロード時に、クレジットカードを用いた電子決済等によって行われることが一般的であり、このようにダウンロードされたコンテンツは、例えば、利用者が有するパーソナルコンピュータのハードディスク等に格納され、利用者は、このように格納されたコンテンツを再生することにより、その視聴を行う。
【０００４】
また、このようなコンテンツの購入形態には、従来のＣＤ等を購入する場合のように購入したコンテンツを半永久的に視聴できる権利を購入する形態だけではなく、一定時間のみ或いは一定回数のみの視聴が可能な権利を購入する形態、ダウンロードしたコンテンツの一部のみを視聴できる権利を購入する形態等が存在する。さらに、ダウンロードしたコンテンツの一部のみを視聴できる権利を購入した利用者が、所定の追加料金を支払うことによって所定のパスワードを取得し、そのパスワードを入力することによって、ダウンロードしたコンテンツにおいて視聴が制限されていた部分の視聴を可能にする形態も存在する。
【０００５】
【発明が解決しようとする課題】
しかし、従来の方法では、特定の電子機器を所有している利用者であるといった利用者の属性に応じ、コンテンツ配信等のサービス内容を変化させるサービス形態を採ることができず、サービスの提供形態に対する自由度が十分でなかったという問題点がある。
【０００６】
本発明はこのような点に鑑みてなされたものであり、利用者の属性に応じてコンテンツ配信等の提供サービス内容を変化させ、サービス提供形態の自由度を向上させることが可能なサービス提供装置を提供することを目的とする。
【０００７】
また、本発明の他の目的は、利用者の属性に応じてコンテンツ配信等の提供サービス内容を変化させ、サービス提供形態の自由度を向上させることが可能なサービス提供方法を提供することである。
【０００８】
さらに、本発明の他の目的は、利用者の属性に応じてコンテンツ配信等の提供サービス内容を変化させ、サービス提供形態の自由度を向上させる機能をコンピュータに実行させるサービス提供プログラムを提供することである。
【０００９】
また、本発明の他の目的は、利用者の属性に応じてコンテンツ配信等の提供サービス内容を変化させ、サービス提供形態の自由度を向上させる機能をコンピュータに実行させるサービス提供プログラムを記録したコンピュータ読みとり可能な記録媒体を提供することである。
【００１０】
【課題を解決するための手段】
サービスの提供を行うサービス提供装置において、利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得手段と、前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集手段と、前記利用者の識別情報を取得すると、前記利用者属性情報格納手段を参照して、当該識別情報に対応する前記利用者属性情報を取得する利用者属性情報取得手段と、サービス利用装置から前記コンテンツを特定するための情報および前記利用者の識別情報を含むサービス提供要求情報を受け付けると、前記サービス提供条件情報取得手段において取得された前記サービス提供条件情報と、前記利用者属性情報取得手段に前記利用者の識別情報を送ることで取得された前記利用者属性情報と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定手段と、特定された前記提供サービス内容に基づき前記コンテンツを前記サービス利用装置に出力させるためのサービス提供情報を、前記サービス利用装置に送信するサービス提供情報送信手段と、を有することを特徴とするサービス提供装置が提供される。
【００１４】
また、本発明のサービス提供装置は、好ましくは、サービス提供条件情報の内容を更新するサービス提供条件情報更新手段を、さらに有する。
【００１５】
また、本発明のサービス提供装置は、好ましくは、提供サービス内容特定手段において行われる処理手順を示す情報である提供サービス内容特定処理情報を取得する提供サービス内容特定処理情報取得手段を、さらに有し、提供サービス内容特定手段は、提供サービス内容特定処理情報取得手段において取得された提供サービス内容特定処理情報に示される処理手順に従い、利用者に提供するサービス内容の特定を行う。
【００１６】
また、本発明のサービス提供装置は、好ましくは、提供サービス内容特定処理情報の内容を更新する提供サービス内容特定処理情報更新手段を、さらに有する。
【００１７】
また、本発明のサービス提供装置は、好ましくは、利用者属性情報取得手段において取得される利用者属性情報は、サービス提供条件情報が有するサービス提供条件期待値を利用者に認知させることなく、利用者から収集した情報である。
【００１９】
また、サービスの提供を行うサービス提供装置のサービス提供方法において、利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、特定された前記提供サービス内容に基づき前記コンテンツを前記サービス利用装置に出力させるためのサービス提供情報を、前記サービス利用装置に送信するサービス提供情報送信ステップと、を有することを特徴とするサービス提供方法が提供される。
【００２２】
また、本発明のサービス提供方法は、好ましくは、サービス提供条件情報の内容を更新するサービス提供条件情報更新ステップを、さらに有する。
【００２３】
また、本発明のサービス提供方法は、好ましくは、提供サービス内容特定ステップにおいて行われる処理手順を示す情報である提供サービス内容特定処理情報を取得する提供サービス内容特定処理情報取得ステップを、さらに有し、提供サービス内容特定ステップは、提供サービス内容特定処理情報取得ステップにおいて取得された提供サービス内容特定処理情報に示される処理手順に従い、利用者に提供するサービス内容の特定を行う。
【００２４】
また、本発明のサービス提供方法は、好ましくは、提供サービス内容特定処理情報の内容を更新する提供サービス内容特定処理情報更新ステップを、さらに有する。
【００２５】
また、本発明のサービス提供方法において、好ましくは、利用者属性情報取得ステップにおいて取得される利用者属性情報は、サービス提供条件情報が有するサービス提供条件期待値を利用者に認知させることなく、利用者から収集した情報である。
【００２７】
また、コンピュータに、利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、特定された前記提供サービス内容に基づき前記コンテンツを前記サービス利用装置に出力させるためのサービス提供情報を、前記サービス利用装置に送信するサービス提供情報送信ステップと、を実行させるためのサービス提供プログラムが提供される。
【００２８】
また、コンピュータに、利用者がコンテンツの利用に関するサービスの提供を受けるために必要な条件であって前記利用者の保有する１以上の電子機器に対する前記条件を示すサービス提供条件期待値が、前記サービス提供条件期待値に適合する前記利用者に対して提供されるサービスの内容を示す提供サービス内容に対応付けられたサービス提供条件情報を取得するサービス提供条件情報取得ステップと、前記１以上の電子機器に関する情報を前記利用者の識別情報とともに、前記１以上の電子機器から定期的に受信し、前記利用者の属性に関する情報である利用者属性情報として、利用者属性情報格納手段に格納する利用者属性情報収集ステップと、サービス利用装置から前記コンテンツを特定するための情報および前記利用者の識別情報を含むサービス提供要求情報を受け付けると、前記利用者属性情報格納手段を参照して、前記識別情報に対応する前記利用者属性情報を取得する利用者属性情報取得ステップと、前記サービス提供条件情報取得ステップにおいて取得された前記サービス提供条件情報と、前記利用者属性情報取得ステップにおいて取得された前記利用者属性と、を照合し、当該利用者属性情報に示される前記利用者の保有する前記１以上の電子機器に適合する前記サービス提供条件期待値に対応付けられた前記提供サービス内容を、前記利用者に提供するサービスの内容として特定する提供サービス内容特定ステップと、特定された前記提供サービス内容に基づき前記コンテンツを前記サービス利用装置に出力させるためのサービス提供情報を、前記サービス利用装置に送信するサービス提供情報送信ステップと、を実行させるためのサービス提供プログラムを記録したコンピュータ読みとり可能な記録媒体が提供される。
【００２９】
【発明の実施の形態】
以下、本発明の実施の形態を図面を参照して説明する。
まず、本形態におけるサービス提供装置及びサービス提供方法の概要について説明し、その後、それらの詳細を説明していく。
【００３０】
図１は、本形態におけるサービス提供装置１及びサービス提供方法の概要を例示した概念図である。
図１に例示するようにサービス提供装置１は、例えば、利用者がサービスの提供を受けるために必要な条件を示すサービス提供条件期待値２ａａが、サービス提供条件期待値２ａａに適合する利用者に対して提供されるサービスの内容を示す提供サービス内容２ａｂに対応付けられたサービス提供条件情報２ａを取得するサービス提供条件情報取得手段２、利用者の属性に関する情報である利用者属性情報３ａを取得する利用者属性情報取得手段３、及びサービス提供条件情報取得手段２において取得されたサービス提供条件情報２ａと、利用者属性情報取得手段３において取得された利用者属性情報３ａと、を照合し、利用者属性情報取得手段３において取得された利用者属性情報３ａに示される利用者の属性に適合するサービス提供条件期待値２ａａに対応付けられた提供サービス内容２ａｂを、利用者に提供するサービスの内容として特定する提供サービス内容特定手段４を有している。なお、ここでいうサービスとは、例えば、通信手段を介して提供できるものであれば、音楽、映像等のコンテンツの配信サービス、特定のサイトの利用権提供、割引券の提供等、特に制限はなく、どのようなものでもよい。また、利用者の属性に関する情報とは、例えば、その利用者が特定の電子機器の所有者である等の利用者の所有物に関する情報、その利用者が特定のコンテンツに関する利用権を有している、特定のインターネットプロバイダのネットワーク会員である等の利用者が保有する権利に関する情報、利用者が特定のコンテンツを所定時間以上視聴している等の利用者のサービス利用履歴に関する情報等を意味する。
【００３１】
このサービス提供装置１において利用者に対するサービスの提供を行う場合、例えば、まず、サービス提供装置１は、サービス提供条件情報取得手段２において、利用者がサービスの提供を受けるために必要な条件を示すサービス提供条件期待値２ａａが、サービス提供条件期待値２ａａに適合する利用者に対して提供されるサービスの内容を示す提供サービス内容２ａｂに対応付けられたサービス提供条件情報２ａを取得し、利用者属性情報取得手段３において、利用者の属性に関する情報である利用者属性情報３ａを取得する。
【００３２】
サービス提供条件情報取得手段２において取得されたサービス提供条件情報２ａ、及び利用者属性情報取得手段３において取得された利用者属性情報３ａは、例えば、それぞれ提供サービス内容特定手段４に送られ、これらの情報を受け取った提供サービス内容特定手段４は、例えば、サービス提供条件情報取得手段２において取得されたサービス提供条件情報２ａと、利用者属性情報取得手段３において取得された利用者属性情報３ａと、を照合し、利用者属性情報取得手段３において取得された利用者属性情報３ａに示される利用者の属性に適合するサービス提供条件期待値２ａａに対応付けられた提供サービス内容２ａｂを、利用者に提供するサービスの内容（提供サービス内容４ａ）として特定する。
【００３３】
このように特定された提供サービス内容４ａに関する情報は、例えば、サービスの提供を行うサービス提供サーバ（後述）に送られ、この情報を受け取ったサービス提供サーバは、その情報に示される内容のサービスを、ネットワークを介し、利用者が利用するサービス利用装置（後述）等に提供する。
【００３４】
このようにすることにより、コンテンツ配信業者等のサービス提供業者は、特定の電子機器を所有している利用者であるといった利用者の属性に応じてコンテンツ配信等の提供サービス内容を変化させることが可能となり、結果、サービス提供形態の自由度を向上させることが可能となる。
【００３５】
次に、本形態におけるサービス提供装置及びサービス提供方法の詳細について説明を行う。
図２は、本形態におけるサービス提供システム１０の全体構成を例示した概念図である。
【００３６】
図２に例示するように、サービス提供システム１０は、例えば、サービスの提供を行うサービス提供装置３０、及びサービス提供装置３０から提供されたサービスを利用者２０が利用する際に用いるサービス利用装置４０を有しており、サービス提供装置３０は、例えば、利用者２０に提供するサービス内容の特定を行うサービス内容特定サーバ３１、利用者の属性に関する情報を格納する利用者属性情報サーバ３２、サービス内容特定サーバ３１によって特定されたサービスを提供するサービス提供サーバ３３を有している。
【００３７】
図２に例示するように、例えば、サービス内容特定サーバ３１、利用者属性情報サーバ３２、サービス提供サーバ３３及びサービス利用装置４０は、ネットワーク７０を介し、相互に通信可能なように接続され、また、このネットワーク７０には、利用者２０が保有する電子機器５０（Ａ社テレビ５１、Ａ社ＤＶＤ５２、Ｂ社ＰＣ５３、Ｃ社コンポ５４）、及びコンテンツの配信業務やインターネット接続サービスを提供する業者サーバ６０（Ｄ社コンテンツ配信サーバ６１、プロバイダＥ社サーバ６２）も通信可能なように接続されている。
【００３８】
なお、ここで、サービス利用装置４０とは、例えば、利用者２０が所有するパーソナルコンピュータ、パームトップコンピュータ、携帯電話等の情報処理装置を意味し、ネットワークとは、インターネット等の公衆通信回線、イントラネット、ＬＡＮ（Ｌｏｃａｌ  Ａｒｅａ  Ｎｅｔｗｏｒｋ）等の私用通信回線等を意味する。
【００３９】
また、図２では、サービス内容特定サーバ３１、利用者属性情報サーバ３２、及びサービス提供サーバ３３を１つずつ設ける構成としたが、サービス内容特定サーバ３１、利用者属性情報サーバ３２、及びサービス提供サーバ３３の少なくとも１つを、２つ以上設ける構成としてもよく、さらに、これらの機能を複合したサーバを設けることとしてもよい。
【００４０】
さらに、図２では、説明の簡略化のため、１つのサービス利用装置４０のみを記載したが、実際はこれよりも多い数のサービス利用装置を設ける構成としてもよい。また、図２に記載した電子機器５０や業者サーバ６０の数や種類についても、その他の構成を採ることとしてもよい。
【００４１】
図３は、本形態におけるサービス内容特定サーバ３１のハードウェア構成を例示した図である。
図３に例示するように、サービス内容特定サーバ３１は、例えば、ＣＰＵ（Ｃｅｎｔｒａｌ  ｐｒｏｃｅｓｓｉｎｇ  Ｕｎｉｔ：中央処理装置）３１ａ、ＨＤＤ（Ｈａｒｄ  Ｄｉｓｋ  Ｄｒｉｖｅ：ハードディスク装置）３１ｂ、ＲＯＭ（Ｒｅａｄ  Ｏｎｌｙ  Ｍｅｍｏｒｙ）３１ｃ、ＲＡＭ（Ｒａｎｄｏｍ  Ａｃｃｅｓｓ  Ｍｅｍｏｒｙ）３１ｄ、ホストバス３１ｅ、ブリッジ３１ｆ、外部バス３１ｇ、入力インターフェース３１ｈ、キーボード３１ｉ、マウス３１ｊ、映像処理装置３１ｋ、ＣＲＴ（Ｃａｔｈｏｄｅ−Ｒａｙ  Ｔｕｂｅ）ディスプレイ３１ｌ、バッファ３１ｍ、音声再生装置３１ｎ及び通信インターフェース３１ｏを有しており、通信インターフェース３１ｏを介し、ネットワーク７０と通信可能なように接続されている。
【００４２】
図３に例示するように、例えば、ＣＰＵ３１ａ、ＨＤＤ３１ｂ、ＲＯＭ３１ｃ及びＲＡＭ３１ｄは、ホストバス３１ｅと、それぞれ情報のやりとりが可能なように接続され、ホストバス３１ｅは、ブリッジ３１ｆを介し、外部バス３１ｇと情報のやりとりが可能なように接続される。外部バス３１ｇは、例えば、入力インターフェース３１ｈ、映像処理装置３１ｋ、バッファ３１ｍ及び通信インターフェース３１ｏと、それぞれ情報のやりとりが可能なように接続され、入力インターフェース３１ｈには、キーボード３１ｉ及びマウス３１ｊが、映像処理装置３１ｋにはＣＲＴディスプレイ３１ｌが、バッファ３１ｍには、音声再生装置３１ｎが、それぞれ情報のやりとりが可能なように接続される。
【００４３】
ＣＰＵ３１ａは、例えば、プロセッサを中心とした構成となっており、図示していない発信器から供給されるクロック信号に同期して、ＲＯＭ３１ｃ、或いはＲＡＭ３１ｄに格納されているオペレーティングシステム、アプリケーションプログラム等の各種プログラムを実行する。
【００４４】
ＨＤＤ３１ｂは、例えば、固定式の記憶装置、ＲＯＭ３１ｃは、マスクＲＯＭ等、ＲＡＭ３１ｄは、ダイナミックＲＡＭ（ＤＲＡＭ：Ｄｙｎａｍｉｃ  Ｒａｎｄｏｍ  Ａｃｃｅｓｓ  Ｍｅｍｏｒｙ）等であり、オペレーティングシステム、アプリケーションプログラム等の各種プログラムや、プログラムの実行に必要な各種データ等の格納を行う。
【００４５】
ホストバス３１ｅ及び外部バス３１ｇは、例えば、マイクロプロセッサ、メモリ等から構成される情報伝達路であり、ブリッジ３１ｆは、ホストバス３１ｅ、外部バス３１ｇ間のデータを中継する。
【００４６】
入力インターフェース３１ｈは、例えば、キーボード３１ｉ及びマウス３１ｊからの入力信号を外部バス３１ｇに中継する。
映像処理装置３１ｋは、例えば、ＣＰＵ３１ａの制御の下、外部バス３１ｇから供給される映像のアナログデータ或いはデジタルデータに対応するアナログ信号を生成し、生成したアナログ信号をＣＲＴディスプレイ３１ｌに供給する。
【００４７】
ＣＲＴディスプレイ３１ｌは、例えば、画面表面の蛍光素材に電子ビームを当てることによって映像の表示を行うブラウン管型のディスプレイであり、映像処理装置３１ｋから供給されたアナログ信号をもとに、所定の映像の表示を行う。
【００４８】
音声再生装置３１ｎは、例えば、スピーカ、音声データの復号回路等から構成され、音楽等の音源情報を、バッファ３１ｍを介して取得し、取得した音源情報の復号、再生、音声出力を行う。
【００４９】
通信インターフェース３１ｏは、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の所定の規格に対応するインターフェースであり、サービス内容特定サーバ３１をネットワーク７０と通信可能なように接続する。
【００５０】
以上のようなハードウェア構成により、本形態におけるサービス内容特定サーバ３１の処理機能が実現される。
なお、ここでは、サービス内容特定サーバ３１のハードウェア構成のみの説明を行ったが利用者属性情報サーバ３２、サービス提供サーバ３３、サービス利用装置４０についても、サービス内容特定サーバ３１と同様なハードウェア構成を採るものとする。
【００５１】
図４は、図３に例示したようなハードウェア構成を有するサービス内容特定サーバ３１、利用者属性情報サーバ３２及びサービス提供サーバ３３において所定のプログラム（ソフトウェア）を実行させることにより、このハードウェアとソフトウェアとが協働した具体的手段によって構築されるサービス提供装置３０の処理機能を例示したブロック図である。
【００５２】
図４に例示するように、サービス提供装置３０は、例えば、利用者の属性に関する情報である利用者属性情報を収集する利用者属性情報収集手段３０ａ、利用者属性情報収集手段３０ａにおいて収集された利用者属性情報を格納する利用者属性情報格納手段３０ｂ、コンテンツに関する情報であるコンテンツ情報が格納されるコンテンツ情報格納手段３０ｃ、利用者２０によって入力されたサービス提供を希望する旨を示す情報であるサービス提供要求情報を取得するサービス提供要求情報取得手段３０ｄ、利用者がサービスの提供を受けるために必要な条件を示すサービス提供条件期待値が、サービス提供条件期待値に適合する利用者に対して提供されるサービスの内容を示す提供サービス内容に対応付けられたサービス提供条件情報を取得するサービス提供条件情報取得手段３０ｅ、下記の提供サービス内容特定手段３０ｈにおいて行われる処理手順を示す情報である提供サービス内容特定処理情報を取得する提供サービス内容特定処理情報取得手段３０ｆ、利用者属性情報を取得する利用者属性情報取得手段３０ｇ、サービス提供条件情報取得手段３０ｅにおいて取得されたサービス提供条件情報と、利用者属性情報取得手段３０ｇにおいて取得された利用者属性情報と、を照合し、利用者属性情報取得手段３０ｇにおいて取得された利用者属性情報に示される利用者の属性に適合するサービス提供条件期待値に対応付けられた提供サービス内容を、利用者に提供するサービスの内容として特定する提供サービス内容特定手段３０ｈ、提供サービス内容特定手段３０ｈにおいて利用者に提供するサービスの内容として特定された提供サービス内容に示されるサービスを提供するための情報であるサービス提供情報の生成を行うサービス提供情報生成手段３０ｉ、利用者２０が利用するサービス利用装置４０にサービス提供情報を送信するサービス提供情報送信手段３０ｊ、サービス提供条件情報の内容を更新するサービス提供条件情報更新手段３０ｋ、及び提供サービス内容特定処理情報の内容を更新する提供サービス内容特定処理情報更新手段３０ｌからなる処理機能を有している。
【００５３】
図４に例示するように、例えば、利用者属性情報収集手段３０ａは、利用者属性情報格納手段３０ｂに、利用者属性情報格納手段３０ｂは、利用者属性情報取得手段３０ｇに、それぞれ情報の提供が可能なように構成されている。また、例えば、提供サービス内容特定手段３０ｈは、サービス提供条件情報取得手段３０ｅ、提供サービス内容特定処理情報取得手段３０ｆ、及び利用者属性情報取得手段３０ｇと、それぞれ情報のやりとりが可能なように、サービス提供情報生成手段３０ｉに情報の提供が可能なように構成される。さらに、例えば、コンテンツ情報格納手段３０ｃは、サービス提供条件情報更新手段３０ｋ、提供サービス内容特定処理情報更新手段３０ｌ、及びサービス提供情報生成手段３０ｉと情報のやりとりが可能なように、サービス提供条件情報取得手段３０ｅ、及び提供サービス内容特定処理情報取得手段３０ｆに情報の提供が可能なように構成される。また、例えば、サービス提供情報生成手段３０ｉは、サービス提供情報送信手段３０ｊに、サービス提供要求情報取得手段３０ｄは、提供サービス内容特定手段３０ｈ、及びサービス提供情報送信手段３０ｊに、それぞれ情報の提供が可能なように構成される。さらに、例えば、利用者属性情報収集手段３０ａ、サービス提供要求情報取得手段３０ｄ、及びサービス提供情報送信手段３０ｊは、ぞれぞれネットワーク７０と通信可能なように構成される。
【００５４】
図５は、図４に例示したコンテンツ情報格納手段３０ｃのデータ構成を例示した概念図である。
図５に例示するように、コンテンツ情報格納手段３０ｃには、例えば、音楽、画像等のコンテンツに関する情報であるコンテンツ情報１０１〜１０６が格納されている。なお、図５では、６つのコンテンツ情報１０１〜１０６を例示したが、コンテンツ情報格納手段３０ｃに格納されるコンテンツ情報の数は、これよりも多くても少なくてもよい。
【００５５】
図６は、図５に例示したコンテンツ情報１０１のデータ構成を例示した概念図である。
図６に例示するように、コンテンツ情報１０１は、例えば、提供サービス内容特定手段３０ｈにおいて行われる処理手順を示すプログラム等の情報である提供サービス内容特定処理情報１０１ａ、利用者がサービスの提供を受けるために必要な条件を示すサービス提供条件期待値が、サービス提供条件期待値に適合する利用者に対して提供されるサービスの内容を示す提供サービス内容に対応付けられたサービス提供条件情報１０１ｂ、音声情報、画像情報等のコンテンツ素材の情報であるコンテンツ素材情報１０１ｃ、及びコンテンツ素材情報１０１ｃを所定の再生処理形態に適合するように処理するための情報（例えば、オーサリング処理に必要な関数、データ等）であるコンテンツ再生処理情報１０１ｄを有している。
【００５６】
なお、説明の簡略化のため、図６では、コンテンツ情報１０１のみのデータ構成を例示したが、その他のコンテンツ情報１０２〜１０６等についても、このコンテンツ情報１０１と同様なデータ構成を採るものとする。
【００５７】
図７は、図６に例示したサービス提供条件情報１０１ｂのデータ構成を例示した概念図である。
図７に例示するように、サービス提供条件情報１０１ｂは、例えば、利用者がサービスの提供を受けるために必要な条件の種類を示す提供条件１０１ｂａ、利用者がサービスの提供を受けるために必要な条件を示すサービス提供条件期待値１０１ｂｂ、及びサービス提供条件期待値１０１ｂｂに適合する利用者に対して提供されるサービスの内容を示す提供サービス内容１０１ｂｃが、相互に関連付けられることにより構成されている。
【００５８】
図７の例の場合、このサービス提供条件情報１０１ｂは、提供条件１０１ｂａとして「権利の保持」及び「製品の保持」を示す情報を有しており、この「権利の保持」に対応付けられたサービス提供条件期待値１０１ｂｂとして「永久視聴権を有していること」「Ａ社のネットワーク会員であること」を示す情報を、「製品の保持」に対応付けられたサービス提供条件期待値１０１ｂｂとして「いずれかのＡ社製品を３種類以上所有していること」「Ａ社製最新型テレビとＤＶＤを所有していること」「Ａ社製／Ｂ社製／Ｃ社製いずれかの最新型製品を５台以上所有していること」「Ａ社製ＰＣを所有していること」を示す情報を、それぞれ有している。さらに、図７に例示するように、サービス提供条件期待値１０１ｂｂ「永久視聴権を有していること」には、提供サービス内容１０１ｂｃ「何度でも視聴が無料」が、サービス提供条件期待値１０１ｂｂ「Ａ社のネットワーク会員であること」及び「いずれかのＡ社製品を３種類以上所有していること」には、提供サービス内容１０１ｂｃ「一度の視聴が無料」が、サービス提供条件期待値１０１ｂｂ「Ａ社製最新型テレビとＤＶＤを所有していること」「Ａ社製／Ｂ社製／Ｃ社製いずれかの最新型製品を５台以上所有していること」及び「Ａ社製ＰＣを所有していること」には、提供サービス内容１０１ｂｃ「１分だけの視聴が無料」が、それぞれ対応付けられている。
【００５９】
図８は、別のサービス提供条件情報１０２ｂのデータ構成を例示した概念図である。
図８に例示するように、このサービス提供条件情報１０２ｂの場合も提供条件１０２ｂａ、サービス提供条件期待値１０２ｂｂ及び提供サービス内容１０２ｂｃを有しており、この提供条件１０２ｂａとして「コンテンツ利用時間」を示す情報を有している。また、サービス提供条件期待値１０２ｂｂとして「いずれかのＡ社製コンテンツを２０時間以上視聴」「いずれかのＡ社製コンテンツを１０時間以上視聴」「上記条件のいずれにも合致しない」を示す情報を有しており、これらのサービス提供条件期待値１０２ｂｂに対し、提供サービス内容１０２ｂｃ「一度の視聴が無料」「１分間だけの視聴が無料」「１５秒だけの視聴が無料」が、それぞれ対応付けられている。
【００６０】
図９は、図４に例示した利用者属性情報格納手段３０ｂに格納される利用者属性情報１１０のデータ構成を例示した概念図である。
図９に例示するように、利用者属性情報１１０では、例えば、各利用者を示す利用者ＩＤ１１１、及び各利用者の属性を示す利用者属性１１２が相互に関連付けられている。
【００６１】
図９の例の場合、この利用者属性情報１１０は、利用者ＩＤ１１１として、「ＡＩ１２３４５６」「ＢＪ９８７６５４」を有しており、この利用者ＩＤ１１１「ＡＩ１２３４５６」に示される利用者の利用者属性１１２として「Ａ社テレビ所有」「Ａ社ＤＶＤ所有」「Ｂ社ＰＣ所有」「Ｃ社コンポ所有」「Ｄ社コンテンツ１３時間視聴」「Ｅ社ネットワーク会員」を、利用者ＩＤ１１１「ＢＪ９８７６５４」に示される利用者属性１１２として「Ａ社ＤＶＤ所有」をそれぞれ有している。
【００６２】
図１０は、図３に例示したようなハードウェア構成を有するサービス利用装置４０において所定のプログラム（ソフトウェア）を実行させることにより、このハードウェアとソフトウェアとが協働した具体的手段によって構築されるサービス利用装置４０の処理機能を例示したブロック図である。
【００６３】
図１０に例示するように、サービス利用装置４０は、例えば、利用者２０による利用者属性情報の入力を受け付ける利用者属性情報入力手段４１、利用者属性情報入力手段４１において入力された利用者属性情報を、ネットワーク７０を介し、サービス提供装置３０に送信する利用者属性情報送信手段４２、利用者２０によるサービス提供要求情報の入力を受け付けるサービス提供要求情報入力手段４３、サービス提供要求情報入力手段４３において入力されたサービス提供要求情報を、ネットワーク７０を介し、サービス提供装置３０に送信するサービス提供要求情報送信手段４４、ネットワーク７０を介し、サービス提供装置３０から送信されたサービス提供情報を取得するサービス提供情報取得手段４６、及びサービス提供情報取得手段４６において取得されたサービス提供情報に示されるコンテンツ等のサービス情報の出力を行うサービス情報出力手段４５を有している。
【００６４】
図１０に例示するように、例えば、利用者属性情報入力手段４１は、利用者属性情報送信手段４２に、サービス提供要求情報入力手段４３は、サービス提供要求情報送信手段４４に、サービス提供情報取得手段４６は、サービス情報出力手段４５に、それぞれ情報の提供が可能なように構成され、利用者属性情報送信手段４２、サービス提供要求情報送信手段４４、及びサービス提供情報取得手段４６は、ネットワーク７０と通信可能なように、それぞれ構成される。
【００６５】
次に、本形態におけるサービス提供システム１０の処理動作について説明する。
図１１及び図１２は、本形態におけるサービス提供システム１０の処理動作を説明するための図である。以下、これらの図に沿って、本形態におけるサービス提供システム１０の処理動作の説明を行っていく。なお、図１１及び図１２では、縦軸は時間の流れを示しており、図面において下方に示されている処理ほど、後に行われる処理に相当することとなる。
【００６６】
ステップＳ１：
本ステップでは、例えば、サービス利用装置４０において、利用者２０からの利用者属性情報の入力を受け付け、入力された利用者属性情報を利用者属性情報サーバ３２に送信し、送信された利用者属性情報を利用者属性情報サーバ３２に格納する。なお、ここで利用者属性情報が送信される利用者属性情報サーバ３２は、例えば、事前に、この利用者属性情報の送信先として指定され、その所在地に関する情報（アドレス等）が利用者２０に提供されているサーバであってもよく、利用者２０によって指定されたサーバであってもよい。また、本ステップにおける処理は、一定の期間をおいて定期的に行われることとしてもよく、利用者が新たな電子機器５０を購入したり、プロバイダと新規契約を結んだ際等の特定のタイミングにおいて行われることとしてもよい。
【００６７】
以下に、本ステップにおける処理を処理機能的に説明する。
本ステップでは、例えば、まず、図１０に例示したサービス利用装置４０の利用者属性情報入力手段４１において、利用者２０からの利用者属性情報の入力を受け付ける。ここで入力される利用者属性情報は、例えば、利用者２０が有する電子機器５０に関する情報や、利用者２０が有するコンテンツの視聴権等に関する情報を意味し、その内容は、例えば、利用者２０自らが申し出た内容となる。なお、ここでの利用者属性情報の入力受け付けは、前述したサービス提供条件期待値を利用者２０に認知させることなく行われることが望ましい。サービス提供条件期待値を知った利用者２０が希望するサービスの提供を受けるために、虚偽の利用者属性情報を入力するといった不正を抑制するためである。
【００６８】
入力された利用者属性情報は、例えば、図１０に例示した利用者属性情報送信手段４２に送られ、利用者属性情報送信手段４２は、送られた利用者属性情報を、ネットワーク７０を介し、サービス提供装置３０に送信する。なお、このようにサービス提供装置３０に送信される利用者属性情報には、例えば、各利用者を識別するための利用者ＩＤを添付されることとすることが望ましい。この利用者ＩＤは、例えば、本システムの利用を希望する利用者が、本システム利用の前提として行う利用契約時にサービス提供装置３０から与えられるＩＤであり、サービス提供装置３０は、この利用者ＩＤを用いて各利用者の管理を行う。
【００６９】
サービス提供装置３０に送信された利用者属性情報は、例えば、図４に例示した利用者属性情報収集手段３０ａにおいて受信され、この利用者属性情報を受信した利用者属性情報収集手段３０ａは、その利用者属性情報を、利用者ＩＤとともに利用者属性情報格納手段３０ｂに格納する（図９）。なお、ここでの利用者属性情報の利用者属性情報格納手段３０ｂへの格納は、例えば、まず、この利用者から提供された利用者属性情報の正当性を確認し、その正当性が確認された場合にのみ行うこととしてもよい。このようにすることにより、不正な利用者属性情報が登録されることを抑制することができる。
【００７０】
ステップＳ２：
本ステップでは、例えば、利用者２０が保有する電子機器５０や業者サーバ６０から利用者属性情報を提供させ、提供された利用者属性情報を利用者属性情報サーバ３２において収集、格納する。なお、ここで、電子機器５０や業者サーバ６０が行う利用者属性情報サーバ３２への利用者属性情報の提供は、例えば、電子機器５０や業者サーバ６０において、ネットワーク７０上における利用者属性情報サーバ３２のアドレスを指定し、電子機器５０の製造業者名、機種等の情報、業者サーバ６０が利用者２０に提供しているサービスの種類、サービス利用履歴等に関する情報を、ネットワーク７０を介し、送信することによって行われる。また、この利用者属性情報が送信される利用者属性情報サーバ３２は、例えば、事前に、この利用者属性情報の送信先として指定され、その所在地に関する情報（アドレス等）が電子機器５０や業者サーバ６０に提供されたサーバであってもよく、利用者２０、電子機器５０、業者サーバ６０によって指定されたサーバであってもよい。また、本ステップにおける処理は、一定の期間をおいて定期的に行われることとしてもよく、利用者２０が新たな電子機器５０を購入し、その電子機器５０をネットワーク７０に接続した時点、プロバイダと新規契約を結んだ時点等の特定のタイミングにおいて行われることとしてもよい。
【００７１】
処理機能的には、例えば、電子機器５０、業者サーバ６０から提供された利用者属性情報を、ネットワーク７０を介し、図４に例示した利用者属性情報収集手段３０ａにおいて受信し、受信した利用者属性情報を利用者属性情報格納手段３０ｂに格納する。なお、本ステップにおいても、利用者属性情報は、例えば、当該利用者の利用者ＩＤとともに提供され、利用者属性情報格納手段３０ｂにおける利用者属性情報の格納は、この利用者ＩＤとともに行われる（図９）。
【００７２】
ステップＳ３：
本ステップでは、例えば、サービス利用装置４０において、利用者２０によるサービス提供要求情報の入力を受け付け、このように入力されたサービス提供要求情報をサービス内容特定サーバ３１に送信する。ここで、サービス提供要求情報とは、例えば、特定のサービス提供を希望する旨を示す情報であり、具体的には、例えば、ビデオクリップ等のコンテンツの視聴を希望する旨の情報を意味する。このサービス提供要求情報には、例えば、利用者２０が提供を希望するサービスを特定するための情報（例えば、視聴を希望するコンテンツを特定するための情報）や、利用者の利用者ＩＤに関する情報等が含まれる。
【００７３】
送信されたサービス提供要求情報は、サービス内容特定サーバ３１において受信され、このサービス内容特定サーバ３１は、例えば、このサービス提供要求情報を受け取ることにより、提供サービスの内容特定処理を開始する。
【００７４】
以下に、本ステップにおける処理を処理機能的に説明する。
本ステップでは、例えば、まず、図１０に例示したサービス利用装置４０のサービス提供要求情報入力手段４３において、利用者２０からのサービス提供要求情報の入力を受け付ける。このように入力されたサービス提供要求情報は、例えば、サービス提供要求情報送信手段４４に送られ、サービス提供要求情報が送られたサービス提供要求情報送信手段４４は、例えば、このサービス提供要求情報を、ネットワーク７０を介し、サービス提供装置３０に送信する。
【００７５】
サービス提供装置３０は、例えば、図４に例示したサービス提供要求情報取得手段３０ｄにおいて、このサービス提供要求情報を受信し、受信したサービス提供要求情報を提供サービス内容特定手段３０ｈに送る。
【００７６】
このサービス提供要求情報がサービス提供装置３０に送られると、例えば、次に、ステップＳ４の処理が行われる。
ステップＳ４：
本ステップでは、例えば、サービス内容特定サーバ３１において、サービス提供サーバ３３から、サービス提供条件期待値が、提供サービス内容に対応付けられたサービス提供条件情報を取得し（サービス提供条件情報取得ステップ）、さらに、サービス提供サーバ３３から、後述の提供サービス内容特定ステップ（ステップＳ６）において行われる処理手順を示す情報である提供サービス内容特定処理情報を取得する（提供サービス内容特定処理情報取得ステップ）。
【００７７】
ここで取得されるサービス提供条件情報及び提供サービス内容特定処理情報は、例えば、前述のステップＳ３においてサービス内容特定サーバ３１が受信したサービス提供要求情報によって指定されたサービスの種類（例えばコンテンツの種類）に対応したサービス提供条件情報及び提供サービス内容特定処理情報であるものとする。
【００７８】
以下に、本ステップにおける処理を処理機能的に説明する。
本ステップでは、例えば、まず、図４に例示した提供サービス内容特定手段３０ｈにおいて、ステップＳ３の処理においてサービス提供要求情報取得手段３０ｄから送られたサービス提供要求情報に示されるサービス内容に関する情報を、サービス提供条件情報取得手段３０ｅ及び提供サービス内容特定処理情報取得手段３０ｆに送る。なお、以下では、このサービスとしてコンテンツの提供を例に採り、さらに、ここでサービス提供条件情報取得手段３０ｅ及び提供サービス内容特定処理情報取得手段３０ｆに送られるサービス内容に関する情報として、提供されるコンテンツを特定するための情報を例に採って説明を行っていく。
【００７９】
このコンテンツを特定するための情報を受け取ったサービス提供条件情報取得手段３０ｅは、例えば、コンテンツ情報格納手段３０ｃから、この受け取った情報によって特定されるコンテンツのコンテンツ情報を抽出する。図６に例示したように、例えば、このコンテンツ情報にはサービス提供条件情報が含まれており、サービス提供条件情報取得手段３０ｅは、このコンテンツ情報に含まれたサービス提供条件情報を抽出し、抽出したサービス提供条件情報を提供サービス内容特定手段３０ｈに送る。
【００８０】
また、コンテンツを特定するための情報を受け取った提供サービス内容特定処理情報取得手段３０ｆは、例えば、コンテンツ情報格納手段３０ｃから、この受け取った情報によって特定されるコンテンツのコンテンツ情報を抽出する。図６に例示したように、例えば、このコンテンツ情報には提供サービス内容特定処理情報が含まれており、サービス提供条件情報取得手段３０ｅは、このコンテンツ情報に含まれた提供サービス内容特定処理情報を抽出し、抽出した提供サービス内容特定処理情報を提供サービス内容特定手段３０ｈに送る。
【００８１】
ステップＳ５：
本ステップでは、例えば、サービス内容特定サーバ３１において利用者属性情報サーバ３２から、利用者属性情報を取得する（利用者属性情報取得ステップ）。なお、ここで取得される利用者属性情報は、例えば、ステップＳ３においてサービス利用装置４０から送られたサービス提供要求情報に示される利用者ＩＤによって特定される利用者に関する利用者属性情報であるものとする。
【００８２】
処理機能的には、例えば、図４に例示した提供サービス内容特定手段３０ｈから利用者属性情報取得手段３０ｇに対して利用者属性情報に示される利用者ＩＤに関する情報を送り、この利用者ＩＤに関する情報を受け取った利用者属性情報取得手段３０ｇは、この利用者ＩＤに対応する利用者属性情報を、利用者属性情報格納手段３０ｂから抽出する。このように抽出された利用者属性情報は、例えば、提供サービス内容特定手段３０ｈに送られ、以下の提供サービスの特定処理に用いられる（ステップＳ６）。
【００８３】
ステップＳ６：
本ステップでは、例えば、サービス内容特定サーバ３１において、サービス提供条件情報取得ステップ（ステップＳ４）において取得されたサービス提供条件情報と、利用者属性情報取得ステップ（ステップＳ５）において取得された利用者属性情報と、を照合し、利用者属性情報取得ステップ（ステップＳ５）において取得された利用者属性情報に示される利用者２０の属性に適合するサービス提供条件期待値に対応付けられた提供サービス内容を、利用者２０に提供するサービスの内容として特定する（提供サービス内容特定ステップ）。なお、本ステップにおける処理は、例えば、提供サービス内容特定処理情報取得ステップ（ステップＳ４）において取得された提供サービス内容特定処理情報に示される処理手順に従って行われる。
【００８４】
処理機能的には、例えば、図４に例示した提供サービス内容特定手段３０ｈにおいて、ステップＳ４において取得されたサービス提供条件情報と、ステップＳ５において取得された利用者属性情報と、を照合し、ステップＳ５において取得された利用者属性情報に示される利用者２０の属性に適合するサービス提供条件期待値に対応付けられた提供サービス内容を、利用者２０に提供するサービスの内容として特定する。
【００８５】
具体的には、例えば、利用者２０の利用者ＩＤが「ＡＩ１２３４５６」であった場合、図９に例示するように、利用者属性情報１１０に示されるこの利用者２０の利用者属性１１２は、「Ａ社テレビ所有」「Ａ社ＤＶＤ所有」「Ｂ社ＰＣ所有」「Ｃ社コンポ所有」「Ｄ社コンテンツ１３時間視聴」「Ｅ社ネットワーク会員」である。また、ステップＳ３において提供されたサービス提供要求情報に示される情報が、図５に例示したコンテンツ情報１０１に示されるコンテンツの提供を要求するものであった場合、図７に例示したように、そのサービス提供条件情報１０１ｂに示されるサービス提供条件期待値１０１ｂｂは、「永久視聴権を有していること」「Ａ社のネットワーク会員であること」「いずれかのＡ社製品を３種類以上所有していること」「Ａ社製最新型テレビとＤＶＤを所有していること」「Ａ社製／Ｂ社製／Ｃ社製いずれかの最新型製品を５台以上所有していること」「Ａ社製ＰＣを所有していること」である。よって、この利用者属性１１２（利用者属性情報１１０に示される利用者２０の属性）に適合するサービス提供条件期待値１０１ｂｂは、「Ａ社製最新型テレビとＤＶＤを所有していること」になる。さらに、図７に例示するように、このサービス提供条件期待値１０１ｂｂ「Ａ社製最新型テレビとＤＶＤを所有していること」に対応付けられた提供サービス内容１０１ｂｃは、「１分間だけの視聴が無料」となる。そのため、この「１分間だけの視聴が無料」という提供サービス内容１０１ｂｃが、利用者２０に提供されるサービスの内容として特定される。なお、この具体例の場合、ここで提供されるコンテンツは、コンテンツ情報１０１に示されるコンテンツであり、このコンテンツを特定するための情報も、例えば、この利用者２０に提供されるサービスの内容に含まれるものとする。
【００８６】
提供されるサービスの内容が特定されると、例えば、次にステップＳ７の処理に移る。
ステップＳ７：
本ステップでは、例えば、サービス内容特定サーバ３１において、サービス提供サーバ３３に対し、ステップＳ６の処理において特定された提供サービス内容を示す特定提供サービス内容情報を送信する。
【００８７】
処理機能的には、例えば、図４に例示した提供サービス内容特定手段３０ｈから、サービス提供情報生成手段３０ｉに対し、上述の特定提供サービス内容情報を送る。この特定提供サービス内容情報がサービス提供情報生成手段３０ｉに送られると、例えば、次に、ステップＳ８の処理に移る。
【００８８】
ステップＳ８：
本ステップでは、例えば、サービス提供サーバ３３において、ステップＳ７においてサービス内容特定サーバ３１から送られた特定提供サービス内容情報に示されるサービスを提供するための情報であるサービス提供情報を、利用者２０が利用するサービス利用装置４０に送信する（サービス提供情報送信ステップ）。なお、このサービス提供情報は、例えば、コンテンツを、利用者に提供するサービスの内容として特定された提供サービス内容によって特定される条件に従い、利用者２０が利用するサービス利用装置４０において出力させるための情報である。
【００８９】
以下に、本ステップにおける処理を処理機能的に説明する。
本ステップでは、例えば、まず、図４に例示したサービス提供情報生成手段３０ｉにおいて、ステップＳ７で取得した特定提供サービス内容情報に示されるコンテンツが格納されたコンテンツ情報を、コンテンツ情報格納手段３０ｃから取得する。
【００９０】
次に、例えば、サービス提供情報生成手段３０ｉにおいて、取得したコンテンツ情報が有するコンテンツ素材を、このコンテンツ情報が有するコンテンツ再生処理情報を用い、ステップＳ７で取得した特定提供サービス内容情報に示される提供サービス内容（例えば、「１分間だけの視聴が無料」）に従って加工し、上述のサービス提供情報の生成を行う。
【００９１】
このように生成されたサービス提供情報は、例えば、サービス提供情報送信手段３０ｊに送られ、サービス提供情報送信手段３０ｊは、このサービス提供情報を、ネットワーク７０を介し、サービス利用装置４０に送信する。サービス利用装置４０に送信されたサービス提供情報は、例えば、図１０に例示したサービス提供情報取得手段４６において受信され、サービス提供情報取得手段４６は、この受信したサービス提供情報をサービス情報出力手段４５に送る。このサービス提供情報がサービス利用装置４０に送られると、例えば、次に、ステップＳ９の処理に移る。
【００９２】
ステップＳ９：
本ステップでは、例えば、サービス利用装置４０において、ステップＳ８でサービス提供サーバ３３から送られたサービス提供情報に示されるサービス情報を出力させる。
【００９３】
処理機能的には、例えば、図１０に例示したサービス情報出力手段４５において、サービス提供情報取得手段４６から送られたサービス提供情報に示されるコンテンツ等のサービス情報を、このサービス提供情報に示される条件に従い出力する。具体的には、例えば、１分間だけコンテンツを無料で視聴できるのであれば、対価の支払い処理が行われない限り、その１分間だけ、このコンテンツの出力が行われる。
【００９４】
以上のような方法を採ることにより、コンテンツ配信業者等のサービス提供業者は、利用者の属性に応じてコンテンツ配信等のサービス内容を変化させることが可能となり、結果、サービス提供形態の自由度を向上させることが可能となる。
【００９５】
また、例えば、提供サービス内容特定処理情報の内容、及びサービス提供条件情報の内容は、コンテンツ配信業者等により、随時、更新できることとしてもよい。
【００９６】
例えば、提供サービス内容特定処理情報の内容の更新を行う場合（サービス提供条件情報更新ステップ）、コンテンツ配信業者等は、図４に例示した提供サービス内容特定処理情報更新手段３０ｌを用い、提供サービス内容特定処理情報の内容を更新するための更新情報を入力する。この更新情報が入力された提供サービス内容特定処理情報更新手段３０ｌは、例えば、その更新情報に従い、コンテンツ情報格納手段３０ｃに格納されたコンテンツ情報が有する提供サービス内容特定処理情報の内容を更新する。
【００９７】
また、例えば、サービス提供条件情報の内容を更新する場合（提供サービス内容特定処理情報更新ステップ）、コンテンツ配信業者等は、図４に例示したサービス提供条件情報更新手段３０ｋを用い、サービス提供条件情報の内容を更新するための更新情報を入力する。この更新情報が入力されたサービス提供条件情報更新手段３０ｋは、例えば、その更新情報に従い、コンテンツ情報格納手段３０ｃに格納されたコンテンツ情報が有するサービス提供条件情報の内容を更新する。
【００９８】
このように提供サービス内容特定処理情報やサービス提供条件情報の内容を更新できる構成とすることにより、利用者に提供するサービス内容特定のための判断基準や判断方法を動的に変化させることが可能となる。
【００９９】
このように、本形態では、サービス提供条件情報取得手段３０ｅにおいて、利用者２０がサービスの提供を受けるために必要な条件を示すサービス提供条件期待値が、サービス提供条件期待値に適合する利用者に対して提供されるサービスの内容を示す提供サービス内容に対応付けられたサービス提供条件情報を取得し、利用者属性情報取得手段３０ｇにおいて、利用者２０の属性に関する情報である利用者属性情報を取得し、提供サービス内容特定手段３０ｈにおいて、サービス提供条件情報取得手段３０ｅにおいて取得されたサービス提供条件情報と、利用者属性情報取得手段３０ｇにおいて取得された利用者属性情報と、を照合し、利用者属性情報取得手段３０ｇにおいて取得された利用者属性情報に示される利用者２０の属性に適合するサービス提供条件期待値に対応付けられた提供サービス内容を、利用者２０に提供するサービスの内容として特定することとしたため、特定の電子機器を所有している利用者であるといった利用者の属性に応じてコンテンツ配信等の提供サービス内容を変化させることが可能となり、結果、サービス提供形態の自由度を向上させることが可能となる。具体的には、この方法を用いることにより、例えば、利用者の環境に最も適した内容のサービスを提供することが可能となり、また、特定の電子機器を購入した利用者に対してのみ特定のコンテンツの提供サービスを行うといったサービス形態に利用することも可能となる。
【０１００】
また、サービス提供情報送信手段３０ｊにおいて、提供サービス内容特定手段３０ｈにおいて利用者２０に提供するサービスの内容として特定された提供サービス内容に示されるサービスを提供するための情報であるサービス提供情報を、利用者２０が利用するサービス利用装置４０に送信することにより、利用者２０の属性に応じて提供内容を変化させたサービスを迅速に提供することが可能となる。結果、サービス提供形態の自由度を向上させることが可能となる。
【０１０１】
さらに、サービス提供情報を、利用者２０に提供するサービスの内容として特定された提供サービス内容によって特定される条件に従い、コンテンツを、利用者２０が利用するサービス利用装置４０において出力させるための情報とすることにより、利用者２０の属性に応じて提供内容を変化させたコンテンツを迅速に提供することが可能となる。結果、コンテンツ提供形態の自由度を向上させることが可能となる。
【０１０２】
また、サービス提供条件情報更新手段３０ｋにおいて、サービス提供条件情報の内容を更新することにより、利用者に提供するサービス内容特定のための判断基準を動的に変化させることが可能となる。これにより、時間経過、状況の変化等に応じ、サービス内容特定のための判断基準を自由に変更することが可能となり、結果、コンテンツ提供形態の自由度を向上させることが可能となる。具体的には、例えば、一定期間だけサービス提供条件情報の内容を変更し、特定の期間中にのみ特別な付加価値を持ったサービスを提供するといったサービス形態を採ることも可能となり、或いは、時間経過に応じ、順次、サービス提供条件情報の内容を緩和していくといったサービス形態を採ることも可能となる。
【０１０３】
さらに、利用者属性情報を格納する利用者属性情報格納手段３０ｂを設けることとし、利用者属性情報取得手段３０ｇは、この利用者属性情報格納手段３０ｂから利用者属性情報を取得する構成とすることにより、利用者属性情報の収集手順を簡略化することが可能となり、さらにネットワーク７０上のデータ流通量を削減させ、ネットワーク７０上の負荷を軽減させることも可能となる。
【０１０４】
また、提供サービス内容特定手段３０ｈにおいて行われる処理手順を示す情報である提供サービス内容特定処理情報を取得する提供サービス内容特定処理情報取得手段３０ｆを設けることとし、提供サービス内容特定手段３０ｈは、この提供サービス内容特定処理情報取得手段３０ｆにおいて取得された提供サービス内容特定処理情報に示される処理手順に従い、利用者に提供するサービス内容の特定を行う構成を採ることにより、この提供サービス内容特定処理情報の内容を変更するだけで、利用者に提供するサービス内容特定のための判断方法を動的に変化させることが可能となる。これにより、状況の変化等に応じ、サービス内容特定のための判断方法を自由に変更することが可能となり、結果、コンテンツ提供形態の自由度を向上させることが可能となる。具体的には、例えば、何らかの要因により、判断方法を変更しなければならなくなった場合でも、この提供サービス内容特定処理情報の内容を変更するだけで、その対応を迅速に行うことが可能となる。
【０１０５】
さらに、提供サービス内容特定処理情報更新手段３０ｌにおいて、提供サービス内容特定処理情報の内容を更新する構成を採ることにより、利用者に提供するサービス内容特定のための判断方法を動的に変化させることが可能となる。これにより、状況の変化等に応じ、サービス内容特定のための判断方法を自由に変更することが可能となり、結果、コンテンツ提供形態の自由度を向上させることが可能となる。
【０１０６】
また、サービス提供装置３０において、サービス提供条件情報が有するサービス提供条件期待値を利用者２０に認知させることなく、利用者２０から利用者属性情報を取得することにより、サービス提供条件期待値を知った利用者２０が、希望するサービスの提供を受けるために、虚偽の利用者属性情報を提供するといった不正を抑制することが可能となる。
【０１０７】
さらに、利用者属性情報を、利用者が保有する権利に関する情報を有する構成とすることにより、利用者が保有するコンテンツの使用権、ネットワーク利用権等に応じ、その利用者に提供するサービス内容を変化させることが可能となる。結果、サービス提供形態の自由度を向上させることが可能となる。
【０１０８】
また、利用者属性情報を、利用者の所有物に関する情報を有する構成とすることにより、利用者が保有する電子機器の種類等に応じ、その利用者に提供するサービス内容を変化させることが可能となる。結果、サービス提供形態の自由度を向上させることが可能となる。
【０１０９】
さらに、利用者属性情報を、利用者のサービス利用履歴に関する情報を有する構成とすることにより、コンテンツ視聴時間等の利用者のサービス利用履歴に応じ、その利用者に提供するサービス内容を変化させることが可能となる。結果、サービス提供形態の自由度を向上させることが可能となる。
【０１１０】
なお、これまで説明してきた通り、上記の処理機能は、サーバコンピュータとクライアントコンピュータとによって実現することができる。その場合、サービス提供装置３０が有すべき機能の処理内容を記述したサーバプログラム、及びサービス利用装置４０が有すべき機能の処理内容を記述したクライアントプログラムが提供される。サーバプログラムをサーバコンピュータで実行することにより、サービス提供装置３０の処理機能がサーバコンピュータ上で実現される。また、クライアントプログラムをクライアントコンピュータで実行することにより、サービス利用装置４０の処理機能がクライアントコンピュータ上で実現される。
【０１１１】
処理内容を記述したサーバプログラムやクライアントプログラムは、コンピュータで読みとり可能な記録媒体に記録しておくことができる。コンピュータで読みとり可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ  ｄｉｓｋ）などがある。
【０１１２】
サーバプログラムやクライアントプログラムを流通させる場合には、例えば、各プログラムが記録されたＤＶＤ、ＣＤ−ＲＯＭなどの可搬型記録媒体が販売される。また、クライアントプログラムをサーバコンピュータの記憶装置に格納しておき、ネットワークを介して、サーバコンピュータからクライアントコンピュータにクライアントプログラムを転送することもできる。
【０１１３】
サーバプログラムを実行するサーバコンピュータは、例えば、可搬型記録媒体に記録されたサーバプログラムを、自己の記憶装置に格納する。そして、サーバコンピュータは、自己の記憶装置からサーバプログラムを読みとり、サーバプログラムに従った処理を実行する。なお、サーバコンピュータは、可搬型記録媒体から直接サーバプログラムを読みとり、そのサーバプログラムに従った処理を実行することもできる。
【０１１４】
クライアントプログラムを実行するクライアントコンピュータは、例えば、可搬型記録媒体に記録されたクライアントプログラムもしくはサーバコンピュータから転送されたクライアントプログラムを、自己の記憶装置に格納する。そして、クライアントコンピュータは、自己の記憶装置からクライアントプログラムを読みとり、クライアントプログラムに従った処理を実行する。なお、クライアントコンピュータは、可搬型記録媒体から直接クライアントプログラムを読みとり、そのクライアントプログラムに従った処理を実行することもできる。また、クライアントコンピュータは、サーバコンピュータからクライアントプログラムが転送される毎に、逐次、受け取ったクライアントプログラムに従った処理を実行することもできる。
【０１１５】
また、本発明は上述の実施の形態に限定されるものではない。
例えば、本形態では、コンテンツ情報に、提供サービス内容特定処理情報と、サービス提供条件情報とを含有させる構成としたが、提供サービス内容特定処理情報及びサービス提供条件情報の少なくとも一方をコンテンツ情報に付加しないこととし、代わりに、コンテンツ情報が有していない提供サービス内容特定処理情報或いはサービス提供条件情報の存在場所（アドレス等）の情報を、このコンテンツ情報に付与する構成としてもよい。この場合、サービス提供条件情報取得手段３０ｅ及び提供サービス内容特定処理情報取得手段３０ｆは、このコンテンツ情報に付された提供サービス内容特定処理情報或いはサービス提供条件情報の存在場所から、これらの情報を取得することとなる。
【０１１６】
また、本形態では、各コンテンツ情報ごとに提供サービス内容特定処理情報と、サービス提供条件情報とを付与する構成としたが、提供サービス内容特定処理情報及びサービス提供条件情報の少なくとも一方を、全てのコンテンツに対して共通化させることとしてもよい。さらに、この場合、この共通化された提供サービス内容特定処理情報及びサービス提供条件情報を、特定のサーバに格納し、コンテンツ情報に、このサーバの存在場所に関する情報を付与することとしてもよい。この場合、サービス提供条件情報取得手段３０ｅ及び提供サービス内容特定処理情報取得手段３０ｆは、このコンテンツ情報に付された提供サービス内容特定処理情報或いはサービス提供条件情報の存在場所から、これらの情報を取得することとなる。
【０１１７】
また、提供サービス内容特定処理情報或いはサービス提供条件情報に関する情報（提供サービス内容特定処理情報或いはサービス提供条件情報自体、或いはこれらの存在場所に関する情報）をコンテンツ情報とは別の場所に格納しておく構成を採ることとしてもよい。
【０１１８】
さらに、本形態では、事前に、利用者属性情報収集手段３０ａにおいて収集した利用者属性情報を利用者属性情報格納手段３０ｂに格納しておき、提供サービス内容特定手段３０ｈにおける提供サービス内容の特定時に、この利用者属性情報格納手段３０ｂに格納された利用者属性情報を抽出する構成としたが、特に、利用者属性情報格納手段３０ｂを設けず、提供サービス内容特定手段３０ｈにおける提供サービス内容の特定時ごとに、ネットワーク７０を介し、この利用者属性情報を収集する構成としてもよい。
【０１１９】
また、本形態におけるステップＳ３〜ステップＳ５までの処理は、その順序が相互に入れ替わってもかまわない。
さらに、本形態では、提供サービス内容特定処理情報を提供サービス内容特定ステップにおいて行われる処理手順を示す情報と定義したが、提供サービス内容特定ステップにおいて行われる処理手順だけではなく、利用者属性情報の収集処理、サービス提供条件情報、提供サービス内容特定処理情報及びコンテンツ情報の収集処理をも、この提供サービス内容特定処理情報に含ませることとし、サービス提供装置３０における各処理を、このような提供サービス内容特定処理情報に従って行わせることとしてもよい。
【０１２０】
また、本形態では、サービス利用装置４０から利用者２０に利用者属性情報を入力させ、その利用者属性情報をサービス提供装置３０に提供する構成としたが、このようなサービス利用装置４０からの利用者属性情報提供を行わず、電子機器５０、業者サーバ６０等のみから利用者属性情報をサービス提供装置３０に提供する構成としてもよい。
【０１２１】
さらに、電子機器５０、業者サーバ６０等からサービス提供装置３０への利用者属性情報を行わず、利用者２０により、サービス利用装置４０を用いて入力された利用者属性情報のみを用い、上述の各処理を実行する構成としてもよい。
【０１２２】
また、本システムにおいて提供するサービスとしては、コンテンツの配信サービスに限らず、インターネット上における特定のサイトの使用権、商品券や割引券の配付、書籍等の有体物のネット販売に対する割引サービス等、どのようなサービスでもよい。
【０１２３】
【発明の効果】
以上説明したように本発明のサービス提供装置では、サービス提供条件情報取得手段において、利用者がサービスの提供を受けるために必要な条件を示すサービス提供条件期待値が、サービス提供条件期待値に適合する利用者に対して提供されるサービスの内容を示す提供サービス内容に対応付けられたサービス提供条件情報を取得し、利用者属性情報取得手段において、利用者の属性に関する情報である利用者属性情報を取得し、提供サービス内容特定手段において、サービス提供条件情報取得手段において取得されたサービス提供条件情報と、利用者属性情報取得手段において取得された利用者属性情報と、を照合し、利用者属性情報取得手段において取得された利用者属性情報に示される利用者の属性に適合するサービス提供条件期待値に対応付けられた提供サービス内容を、利用者に提供するサービスの内容として特定することとしたため、特定の電子機器を所有している利用者であるといった利用者の属性に応じてコンテンツ配信等の提供サービス内容を変化させることが可能となり、結果、サービス提供形態の自由度を向上させることが可能となる。
【０１２４】
また、本発明のサービス提供方法では、サービス提供条件情報取得ステップにおいて、利用者がサービスの提供を受けるために必要な条件を示すサービス提供条件期待値が、サービス提供条件期待値に適合する利用者に対して提供されるサービスの内容を示す提供サービス内容に対応付けられたサービス提供条件情報を取得し、利用者属性情報取得ステップにおいて、利用者の属性に関する情報である利用者属性情報を取得し、提供サービス内容特定ステップにおいて、サービス提供条件情報取得ステップにおいて取得されたサービス提供条件情報と、利用者属性情報取得ステップにおいて取得された利用者属性情報と、を照合し、利用者属性情報取得ステップにおいて取得された利用者属性情報に示される利用者の属性に適合するサービス提供条件期待値に対応付けられた提供サービス内容を、利用者に提供するサービスの内容として特定することとしたため、特定の電子機器を所有している利用者であるといった利用者の属性に応じてコンテンツ配信等の提供サービス内容を変化させることが可能となり、結果、サービス提供形態の自由度を向上させることが可能となる。
【図面の簡単な説明】
【図１】サービス提供装置及びサービス提供方法の概要を例示した概念図である。
【図２】サービス提供システムの全体構成を例示した概念図である。
【図３】サービス内容特定サーバのハードウェア構成を例示した図である。
【図４】図３に例示したようなハードウェア構成を有するサービス内容特定サーバ、利用者属性情報サーバ及びサービス提供サーバにおいて所定のプログラム（ソフトウェア）を実行させることにより、このハードウェアとソフトウェアとが協働した具体的手段によって構築されるサービス提供装置の処理機能を例示したブロック図である。
【図５】図４に例示したコンテンツ情報格納手段のデータ構成を例示した概念図である。
【図６】図５に例示したコンテンツ情報のデータ構成を例示した概念図である。
【図７】図６に例示したサービス提供条件情報のデータ構成を例示した概念図である。
【図８】サービス提供条件情報のデータ構成を例示した概念図である。
【図９】図４に例示した利用者属性情報格納手段に格納される利用者属性情報のデータ構成を例示した概念図である
【図１０】図３に例示したようなハードウェア構成を有するサービス利用装置において所定のプログラム（ソフトウェア）を実行させることにより、このハードウェアとソフトウェアとが協働した具体的手段によって構築されるサービス利用装置の処理機能を例示したブロック図である。
【図１１】サービス提供システムの処理動作を説明するための図である。
【図１２】サービス提供システムの処理動作を説明するための図である。
【符号の説明】
３０…サービス提供装置、３０ａ…利用者属性情報収集手段、３０ｂ…利用者属性情報格納手段、３０ｃ…コンテンツ情報格納手段、３０ｅ…サービス提供条件情報取得手段、３０ｆ…提供サービス内容特定処理情報取得手段、３０ｇ…利用者属性情報取得手段、３０ｈ…提供サービス内容特定手段、３０ｊ…サービス提供情報送信手段、３０ｋ…サービス提供条件情報更新手段、３０ｌ…提供サービス内容特定処理情報更新手段、３１…サービス内容特定サーバ、３２…利用者属性情報サーバ、３３…サービス提供サーバ、４０…サービス利用装置、５０…電子機器、６０…業者サーバ、７０…ネットワーク
【図１】
0004806870.tif 000002
【図２】
0004806870.tif 000003
【図３】
0004806870.tif 000004
【図４】
0004806870.tif 000005
【図５】
0004806870.tif 000006
【図６】
0004806870.tif 000007
【図７】
0004806870.tif 000008
【図８】
0004806870.tif 000009
【図９】
0004806870.tif 000010
【図１０】
0004806870.tif 000011
【図１１】
0004806870.tif 000012
【図１２】
0004806870.tif 000013